(57)【要約】【課題】ＤＳＬの利用が容易なインターネットファクシミリ装置を提供する。【解決手段】電話回線に接続された回線接続端子１９ａと、音声入出力端子１９ｂと、ＤＳＬ入出力端子１９ｃとを備え、電話回線を通じて伝送される音声信号と高速データ信号を分離、統合するための切り換え部１９と、音声入出力端子に接続されるファクシミリ制御部１５と、ＤＳＬ入出力端子に接続されるＤＳＬ制御部１８とを備えている。【選択図】図１
2004015541.tif 000002
【特許請求の範囲】
【請求項１】
電話回線に接続された回線接続端子と、音声入出力端子と、ＤＳＬ入出力端子とを備え、電話回線を通じて伝送される音声信号と高速データ信号を分離、統合するための切り換え部と、音声入出力端子に接続されるファクシミリ制御部と、ＤＳＬ入出力端子に接続されるＤＳＬ制御部とを備えた、インターネットファクシミリ装置。
【請求項２】
電話回線を通じて伝送される音声信号と高速データ信号を分離、統合するためのスプリッタを外付けして使用されるインターネットファクシミリ装置であって、スプリッタの音声入出力端子に接続されるファクシミリ制御部と、スプリッタのＤＳＬ入出力端子に接続されるＤＳＬ制御部とを備えた、インターネットファクシミリ装置。
【発明の詳細な説明】
【０００１】
【発明の属する技術分野】
本発明は、ＤＳＬが容易に利用できるインターネットファクシミリ装置に関する。
【０００２】
【従来の技術】
近時、既設の電話線を利用し、高速データ通信を可能にするＤＳＬ技術
が開発され、利用されている。
【０００３】
この技術では、電話の音声よりも高い周波数帯域を有効利用するもので、上りと下りの伝送速度の異なるＡＤＳＬや、ＨＤＳＬ、ＶＤＳＬ、ＶＤＳＬなどが知られており、総称してｘＤＳＬと呼ばれている（以下、ＤＳＬと呼ぶ）。
【０００４】
特にＡＤＳＬ技術によれば、家庭から電話局までの上り方向は１６ｋ〜１Ｍビット／秒程度であるのに対して、下り方向は１．５Ｍ〜６Ｍビット／秒の非対称通信を実現できる。そのため、受信データ（下り）量が多く送信データ（上り）量の少ない、主に家庭などのインターネット利用者では、有効に利用されている。
【０００５】
【発明が解決しようとする課題】
ところが、ＤＳＬを利用してデータ信号を受け取るには、既設の電話回線のモジュラジャックとパソコンとの間に、新たにＤＳＬ専用モデムを接続しなければならず、さらに、電話機とＤＳＬモデムにノイズを発生させないために、スプリッタという信号分離装置も接続する必要がある。
【０００６】
このスプリッタは、同じ回線の中を流れてくる音声信号とデータ信号とを帯域を判断して分離する装置であり、これをそれぞれ電話機とＤＳＬモデムとに分けて届けるものである。
【０００７】
具体的には、電話回線のモジュラジャックとスプリッタの回線接続端子とを接続し、スプリッタの音声入出力端子とＤＳＬ入出力端子を電話機とＤＳＬモデムに接続する構成になる。
【０００８】
近年普及しつつあるインターネットファクシミリ装置においても、電子メールを使用しているため、ＤＳＬ技術を有効に利用できるが、上記と同様に、ＤＳＬモデムとスプリッタとを設ける必要がある。そのため、接続が面倒なうえ、複数のケーブル配線により美観や安全をも損なうおそれもある。
【０００９】
本発明は、このような事情に鑑みてなされたもので、ＤＳＬの利用が容易なインターネットファクシミリ装置を提供することにある。
【００１０】
【課題を解決するための手段】
上記目的を達成するために、請求項１に記載のインターネットファクシミリ装置は、電話回線を通じて伝送される音声信号と高速データ信号を分離、統合するための切り換え部と、音声入出力端子に接続されるファクシミリ制御部と、ＤＳＬ入出力端子に接続されるＤＳＬ制御部とを備えている。
【００１１】
この切り換え部は、電話回線に接続された回線接続端子と、音声入出力端子と、ＤＳＬ入出力端子とを備えており、スプリッタと同等の構成となっている。すなわち、請求項１のインターネットファクシミリ装置は、ファクシミリ制御部とＤＳＬ制御部の両方を含んでいるほか、スプリッタに代わる切り換え部までも内蔵している。
【００１２】
このような装置構成によれば、ＤＳＬモデムやスプリッタを外付け接続する必要がなく、簡単にＤＳＬを利用することができる。
【００１３】
請求項２に記載のインターネットファクシミリ装置は、電話回線を通じて伝送される音声信号と高速データ信号を分離、統合するためのスプリッタを外付けして使用されるインターネットファクシミリ装置であって、スプリッタの音声入出力端子に接続されるファクシミリ制御部と、スプリッタのＤＳＬ入出力端子に接続されるＤＳＬ制御部とを備えている。
【００１４】
【発明の実施の形態】
以下に、本発明の実施の形態について、図面とともに説明する。
【００１５】
図１は、本発明のインターネットファクシミリ装置の要部構成の一例を示す図である。
【００１６】
インターネットファクシミリ装置Ｆ１は、以下の各部を制御するＣＰＵ１０と、受信データなどを格納するＲＡＭ１１と、制御プログラムなどを予め記憶したＲＯＭ１２と、原稿から画像を読み取るスキャナ１３と、データを記録紙に印字するプリンタ１４と、液晶画面などの表示部や操作キーで構成された操作パネル１６と、データをファクシミリ通信するために符号化および復号化するＣＯＤＥＣ１７とを含むほか、ファクシミリ制御部１５と、ＤＳＬ制御部１８と、切り換え部１９とを備えている。
【００１７】
このインターネットファクシミリ装置Ｆ１は、電子メールの送受信、ファクシミリの送受信、受信した画像データのプリンタ１４への印字出力、受信した画像データの通信端末機に対する転送などの基本機能を有している。
【００１８】
このファクシミリ装置Ｆ１は、ＤＳＬ高速通信に対応するもので、電話回線から伝送される高速データ信号を、ＤＳＬ制御部１８で変復調し、ＬＡＮを介して他の通信端末機ＰＣとの間で通信を行なうものである。すなわち、ＤＳＬ制御部１８は、ＤＳＬモデム１８ａとＬＡＮインターフェース１８ｂとしての役割を有している。
【００１９】
一方、ファクシミリ制御部１５は、ファクシミリ通信に必要な各種信号の変復調を行なうＦＡＸモデム１５ａと、電話回線に対する接続制御をするＮＣＵ１５ｂとを含んでいる。
【００２０】
ＤＳＬ制御部１８、ファクシミリ制御部１５に送られてくる信号、またはＤＳＬ制御部１８、ファクシミリ制御部１５から送り出す信号は、切り換え部１９を通じて分離、統合される。
【００２１】
すなわち、電話回線を通じて伝送される音声信号と高速データ信号は、切り換え部１９の回線接続端子１９ａを介して入力され、帯域を判別して、音声信号と高速データ信号とに分離し、音声信号は音声入出力端子１９ｂを、高速データ信号はＤＳＬ入出力端子１９ｃを介して、それぞれファクシミリ制御部１５またはＤＳＬ制御部１８に伝送される。
【００２２】
この構成によれば、ＤＳＬ制御部１８を含んでいるため、ＤＳＬ専用のモデムを外付けする必要がない。そのため、ケーブル接続も少なくて済み、高速データ通信が可能なＤＳＬを容易に利用することができる。また、電話回線からの信号を分離する切り換え部１９も含んでいるため、スプリッタを取り付ける必要もなく、回線入力手段を一つに統一することができる。すなわち、ファクシミリ装置Ｆ１と電話回線のモジュラジャックとをつなぐだけでＤＳＬを利用することができる。
【００２３】
図２には、インターネットファクシミリ装置Ｆ１の使用例を示している。
【００２４】
図３は、本発明のインターネットファクシミリ装置の要部構成の他例を示す図である。
【００２５】
インターネットファクシミリ装置Ｆ１は、以下の各部を制御するＣＰＵ１０と、受信データなどを格納するＲＡＭ１１と、制御プログラムなどを予め記憶したＲＯＭ１２と、原稿から画像を読み取るスキャナ１３と、データを記録紙に印字するプリンタ１４と、液晶画面などの表示部や操作キーで構成された操作パネル１６と、データをファクシミリ通信するために符号化および復号化するＣＯＤＥＣ１７とを含むほか、ファクシミリ制御部１５と、ＤＳＬ制御部１８とを備えている。
【００２６】
図１の装置例と同様に、このインターネットファクシミリ装置Ｆ２では、ファクシミリ制御部１５はＦＡＸモデム１５ａおよびＮＣＵ１５ｂとしての役割有し、ＤＳＬ制御部はＤＳＬモデム１８ａおよびＬＡＮインターフェース１８ｂとしての役割を有しており、外付けしたスプリッタの音声入出力端子ＳｂとＤＳＬ入出力端子Ｓｃを介して分離出力される音声信号と高速データ信号とを、別々に入力できる構成となっている。
【００２７】
【発明の効果】
以上の説明からも理解できるように、本発明のインターネットファクシミリ装置によれば、ＤＳＬ制御部を含んで構成されているため、ＤＳＬ専用のモデムを外付けする必要がなく、電話回線との簡易な接続でＤＳＬを利用することができる。
【００２８】
また、ケーブル配線を最小限にすることができるので、美観を損なうこともなく、安全面での効果も期待できる。
【００２９】
特に請求項１では、スプリッタの役割を有した切り換え部を内蔵しているため、回線の入力手段を一つに統一でき、さらに容易にＤＳＬを利用することができる。
【図面の簡単な説明】
【図１】本発明のインターネットファクシミリ装置の一例を示すブロック図である。
【図２】本発明のインターネットファクシミリ装置の使用例を示す図である。
【図３】本発明のインターネットファクシミリ装置の他例を示すブロック図である。
【符号の説明】
Ｆ１、Ｆ２・・・インターネットファクシミリ装置
１５・・・ファクシミリ制御部
１８・・・ＤＳＬ制御部
１９・・・切り換え部
１９ａ・・・回線接続端子
１９ｂ・・・音声入出力端子
１９ｃ・・・ＤＳＬ入出力端子
Ｓ・・・スプリッタ
Ｓａ・・・回線接続端子
Ｓｂ・・・音声入出力端子
Ｓｃ・・・ＤＳＬ入出力端子
【図１】
2004015541.tif 000003
【図２】
2004015541.tif 000004
【図３】
2004015541.tif 000005